(57)【要約】【課題】  複数の成分が含まれる多成分混合溶液に含まれる各成分物質の濃度を赤外線吸収スペクトルの測定結果から定量するに際し、各成分物質に適した条件で赤外線吸収スペクトルを測定することで精度よく濃度を定量する方法を提供する。【解決手段】  既知の物質を１種類以上含み、これら既知の物質に由来する特性吸収帯が２つ以上存在する溶液中の、これら既知の物質の濃度を赤外線の吸光度情報から測定するに際し、それぞれの既知の物質に適した条件で測定した赤外線吸収スペクトルから作成した２次スペクトル情報にケモメトリクスを適用して得られた検量線を用いて各既知の物質の濃度を算出する。【選択図】図１
2015184018.tif 000002
【特許請求の範囲】
【請求項１】
既知の物質を１種類以上含み、これら既知の物質に由来する特性吸収帯が２つ以上存在する溶液の赤外吸収スペクトルを作成する方法であって、
ａ１．  前記既知の物質に由来する特性吸収帯のうちからスペクトル情報を得たい特性吸収帯を２つ以上選択し、
ａ２．  前記ａ１で選択した特性吸収帯のうちから１つの特性吸収帯を選択し、
ａ３．  前記ａ２で選択した特性吸収帯が由来する既知の物質に対して任意の目標とする濃度値を設定し、
ａ４．  前記ａ３の既知の物質の濃度が前記ａ３で設定した濃度値であるときに、前記ａ２で選択した特性吸収帯での赤外線の吸収ピークの吸光度が０．２〜０．８となる光路長を設定し、
ａ５．  前記ａ４で設定した光路長で前記溶液に赤外線を通過させて溶液の赤外吸収スペクトルを測定して、前記ａ２で選択した特性吸収帯のスペクトル情報を得て、
ａ６．  前記ａ２〜ａ５の操作を前記ａ１で選択した特性吸収帯の全てについて行い、得られたスペクトル情報を合成して２次スペクトルを作成する、
赤外吸収スペクトル作成方法。
【請求項２】
前記ａ３で設定する濃度値を、この濃度値が設定される前記既知の物質の想定され得る濃度変動範囲の代表値または制御目標値とする、請求項１の赤外吸収スペクトル作成方法。
【請求項３】
前記ａ４で設定される光路長を、選択できる複数の光路長の中から前記吸光度が最も０．４３に近い値となる光路長に設定する、請求項１または２の赤外吸収スペクトル作成方法。
【請求項４】
前記ａ５における赤外線が、波数領域４０００ｃｍ−１から４００ｃｍ−１の中赤外線である、請求項１〜３のいずれかの赤外吸収スペクトル作成方法。
【請求項５】
既知の物質を１種類以上含み、これら既知の物質に由来する特性吸収帯が２つ以上存在する溶液の、これら既知の物質の濃度を測定するための検量線を作成する方法であって、
ｂ１．  前記既知の物質のそれぞれの濃度を、想定され得る濃度変動範囲内の任意の濃度にした調整液を作成し、
ｂ２．  前記既知の物質に由来する特性吸収帯のうちからスペクトル情報を得たい特性吸収帯を２つ以上選択し、
ｂ３．  前記ｂ２で選択した特性吸収帯のうちから１つの特性吸収帯を選択し、
ｂ４．  前記ｂ３で選択した特性吸収帯が由来する既知の物質に対して任意の目標とする濃度値を設定し、
ｂ５．  前記ｂ４の既知の物質の濃度が前記ｂ４で設定した濃度値であるときに、前記ｂ３で選択した特性吸収帯での赤外線の吸収ピークの吸光度が０．２〜０．８となる光路長を設定し、
ｂ６．  前記ｂ５で設定した光路長で前記調整液に赤外線を通過させて調整液の赤外吸収スペクトルを測定して、前記ｂ３で選択した特性吸収帯のスペクトル情報を得て、
ｂ７．  前記ｂ３〜ｂ６の操作を前記ｂ２で選択した特性吸収帯の全てについて行い、得られたスペクトル情報を合成して２次スペクトルを作成し、
ｂ８．  前記想定され得る濃度変動範囲内で前記既知の物質のそれぞれの濃度を変更した複数の調整液を作成し、これら各調整液で前記ｂ２〜ｂ７の操作を行い複数の２次スペクトルを得て、
ｂ９．  前記ｂ８で得られた複数の２次スペクトルと、各２次スペクトルを得た際の調整液中の前記各既知の物質の濃度値にケモメトリクスを適用して、前記既知の物質ごとに検量線を作成する、
検量線作成方法。
【請求項６】
前記ｂ５で設定される光路長を、選択できる複数の光路長の中から前記吸光度が最も０．４３に近い値となる光路長に設定する、請求項５の検量線作成方法。
【請求項７】
前記ｂ６における赤外線が、波数領域４０００ｃｍ−１から４００ｃｍ−１の中赤外線である請求項５または６の検量線作成方法。
【請求項８】
既知の物質を１種類以上含み、これら既知の物質に由来する特性吸収帯が２つ以上存在する溶液中の、これら既知の物質の濃度を赤外線の吸光度情報から測定するに際し、請求項５〜７のいずれかの検量線作成方法で作成した検量線を用いて前記各既知の物質の濃度を算出する溶液濃度定量方法。
【請求項９】
既知の物質を１種類以上含み、これら既知の物質に由来する特性吸収帯が２つ以上存在する溶液中の、これら既知の物質の濃度を赤外線のスペクトル情報から測定する溶液濃度測定装置であって、
赤外線源と、
赤外線検出手段と、
前記赤外線源と前記赤外線検出手段との間に配置されて前記溶液を収容し、赤外線源から照射された赤外線が溶液を通過する光路長を変更できる測定セルと、
前記測定セルを通過した赤外線から赤外吸収スペクトルを作成するスペクトル作成手段と、
作成された赤外吸収スペクトルのスペクトル情報を用いて２次スペクトルを作成する２次スペクトル作成手段と、
作成された２次スペクトルに含まれる特性吸収帯の吸収ピークの値と検量線とを対比して前記各既知の物質の濃度を定量する手段とを備え、
前記２次スペクトル作成手段は、
ｃ１．  前記既知の物質に由来する特性吸収帯のうち、スペクトル情報を得たい２つ以上の特性吸収帯が設定されており、
ｃ２．  前記測定セルの光路長を、前記ｃ１で設定されている特性吸収帯のうちの１つの特性吸収帯に対応する光路長にし、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｃ３．  前記測定セルの光路長を前記ｃ２で選択された光路長に調整するか、または前記ｃ２で選択された光路長に最も近い光路長に調整し、
ｃ４．  前記ｃ３で調整された光路長で測定された赤外吸収スペクトルを前記スペクトル作成手段から得て、前記ｃ２で選択した光路長が対応する特性吸収帯のスペクトル情報を得て、
ｃ５．  前記ｃ２〜ｃ４の操作を前記ｃ１で設定されている全ての特性吸収帯に対応する光路長について行い、得られたスペクトル情報を合成して２次スペクトルを作成する、
溶液濃度測定装置。
【請求項１０】
既知の物質を１種類以上含み、これら既知の物質に由来する特性吸収帯が２つ以上存在する溶液中の、これら既知の物質の濃度を赤外線のスペクトル情報から測定する溶液濃度測定装置であって、
赤外線源と、
赤外線検出手段と、
前記赤外線源と前記赤外線検出手段との間に配置されて前記溶液を収容し、赤外線源から照射された赤外線が溶液を通過する光路を複数有し、これら各光路の光路長が異なっている測定セルと、
前記測定セルを通過した赤外線から赤外吸収スペクトルを作成するスペクトル作成手段と、
作成された赤外吸収スペクトルのスペクトル情報を用いて２次スペクトルを作成する２次スペクトル作成手段と、
作成された２次スペクトルに含まれる特性吸収帯の吸収ピークの値と検量線とを対比して前記各既知の物質の濃度を定量する手段とを備え、
前記２次スペクトル作成手段は、
ｄ１．  前記既知の物質に由来する特性吸収帯のうち、スペクトル情報を得たい２つ以上の特性吸収帯が設定されており、
ｄ２．  前記ｃ１で設定されている特性吸収帯のうちの１つの特性吸収帯に対応する光路長を選択し、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｄ３．  前記測定セルの前記ｄ２で選択された光路長の光路、または前記測定セルの前記ｄ２で選択された光路長に最も近い光路で測定された赤外吸収スペクトルを前記スペクトル作成手段から得て、前記ｄ２で選択された光路長が対応する特性吸収帯のスペクトル情報を得て、
ｄ４．  前記ｄ２とｄ３の操作を前記ｄ１で設定されている全ての特性吸収帯に対応する光路長について行い、得られたスペクトル情報を合成して２次スペクトルを作成する、
溶液濃度測定装置。
【請求項１１】
前記赤外線源から照射された赤外線が、前記測定セル中の溶液の液面を通る光路を通過し、
前記赤外線が溶液を通過する光路長の変更を、前記測定セル中の溶液の液面高さを変えることで行う、請求項９の溶液濃度測定装置。
【請求項１２】
前記測定セルが複数の異なる光路長の光路を備え、
前記赤外線が溶液を通過する光路長の変更を、前記測定セルと前記赤外線の光路との位置関係を相対的に変えることで行う、請求項９の溶液濃度測定装置。
【請求項１３】
前記測定セルが複数の異なる光路長の光路を備え、
前記光路のいずれかを通過した複数の赤外線を同時に検出できる複数の前記赤外線検出手段を備えた、請求項１０の溶液濃度測定装置。
【請求項１４】
前記測定セルが透過型セルであり、この透過型セルが多段階の光路長の光路を備えた、請求項１２または１３の溶液濃度測定装置。
【請求項１５】
前記測定セルが透過型セルであり、この透過型セルが多段階の光路長の光路を備えた隔室で構成された、請求項１２または１３の溶液濃度測定装置。
【請求項１６】
前記測定セルが透過型セルであり、この透過型セルが無段階の光路長の光路を備えた、請求項１２または１３の溶液濃度測定装置。
【請求項１７】
前記測定セルが透過型セルであり、
前記赤外線源から照射された赤外線を、前記透過型セルの内部を往復させる鏡を備え、
前記赤外線が溶液を通過する光路長の変更を、赤外線が前記透過型セルの内部を通過する回数を変更することで行う、請求項９の溶液濃度測定装置。
【発明の詳細な説明】
【技術分野】
【０００１】
本発明は、赤外分光分析により多成分混合溶液に含まれる各成分物質の濃度を精度よく測定する技術に関する。
【背景技術】
【０００２】
分光分析は、成分の定量的および定性的な特性を非破壊的に調べる方法である。
赤外吸収スペクトルは，それぞれの化合物に固有な吸収ピークのパターンを示し，事前に既知の物質の吸収ピークのパターンを登録しておけば各種物質の定性、定量分析ができることから、赤外分光分析は特に有機化合物の分析に適している。
【０００３】
また、ランベルト−ベールの法則により、溶液の吸光度Ａはその光路長Ｌおよび濃度Ｃに比例することが知られている。溶液に入射する一定波長の光の強さをＩ０とし、透過してくる光の強さをＩとするとき、  Ｉ／Ｉ０＝Ｔ  を透過率と言う。この透過率Ｔの常用対数をとり、その負値、すなわち  −ｌｏｇＴ＝−ｌｏｇ（Ｉ／Ｉ０）＝ｌｏｇ（Ｉ０／Ｉ）＝Ａ  を吸光度とすると、吸光度Ａ、濃度Ｃ、光路長Ｌの関係は次式で表わされる。
（式１）  Ａ＝μＣＬ
ここで、μは吸光係数と呼ばれる物質ごとに固有の定数である。
【０００４】
この関係式を利用して、赤外吸収スペクトルの吸収ピークにおける吸光度の値から溶液中の物質の濃度を決定することができる。つまり、既知濃度の溶液で、吸収ピークにおける吸光度と濃度の関係を事前に取得しておき、未知濃度溶液の吸収ピークにおける吸光度を測定することにより、未知濃度の溶液の濃度を知ることができる。
【０００５】
赤外分光分析では、溶液中の濃度を測定する際には、濃度変化にともなう吸収ピークにおける透過率Ｔの変化が大きくなるように測定環境を整えておくことが重要であり、吸光度Ａが０．４３付近（透過率Ｔでは０．３７付近）になるようにすることが望ましいとされている。
【０００６】
このような観点から、光路長を可変とすることで注目する吸収ピークの吸光度が０．４３付近となる赤外吸収スペクトルを得ることができる赤外分光分析装置が提案されている（特許文献１参照）。また、必要な光路長を確保することによって小型化しても測定精度が確保された赤外分光分析装置が提案されている（特許文献２参照）。
【０００７】
また、赤外分光分析では、定量、定性分析を行うためにいわゆるケモメトリクスと呼ばれる手法が知られている。これは多変量解析手法や統計解析手法を用いて化学分析を行う手法で、パーソナルコンピュータの発達とともに発展してきた。最近の赤外分光分析では主成分（回帰）分析あるいはＰＬＳ回帰分析といった多変量解析手法を用いて行われている（特許文献３）。
【先行技術文献】
【特許文献】
【０００８】
【特許文献１】特開平１０−５４７６１号公報
【特許文献２】特開２００１−２２１７４３号公報
【特許文献３】特開２０００−１３１２３０号公報
【発明の概要】
【発明が解決しようとする課題】
【０００９】
複数の成分が含まれる多成分混合溶液に含まれる各成分物質の濃度をそれぞれ測定しようとした場合、いずれかひとつの物質に適した吸光度になるように光路長を設定しても、他の物質にとってその光路長が適切であるかどうか不明で、ひとつの測定条件が他のすべての成分物質に適した条件であるとは限らない。したがって、他の物質については、吸光度から求まる濃度は誤差が大きい値となることがある。
【００１０】
また、ケモメトリクスは、前記ランベルト−ベールの法則を多波長・多成分に拡張し、定量目的の成分以外の吸収ピークも含めて濃度変化と吸光度変化の関係を統計的解析手法でとらえることが可能であるため、多成分混合溶液中の各物質の正確な検量（キャリブレーション）をおこなうのに優れた手法ではあるが、目的の成分のシグナル（信号）の大きさ（ＳＮ比）を改善するものではないので、吸収ピークにおける吸光度変化の測定精度を保証するものではない。
【００１１】
本発明は、複数の成分が含まれる多成分混合溶液中の各成分物質に適した測定条件で赤外吸収スペクトルを測定することに加えて、ケモメトリクスの手法を用いることにより、従来技術よりも各成分物質の濃度を精度よく測定することが可能な濃度定量方法および溶液濃度測定装置を提供することを目的とする。
【課題を解決するための手段】
【００１２】
本願第１の発明は、既知の物質を１種類以上含み、これら既知の物質に由来する特性吸収帯が２つ以上存在する溶液の赤外吸収スペクトルを作成する方法であって、
ａ１．  前記既知の物質に由来する特性吸収帯のうちからスペクトル情報を得たい特性吸収帯を２つ以上選択し、
ａ２．  前記ａ１で選択した特性吸収帯のうちから１つの特性吸収帯を選択し、
ａ３．  前記ａ２で選択した特性吸収帯が由来する既知の物質に対して任意の目標とする濃度値を設定し、
ａ４．  前記ａ３の既知の物質の濃度が前記ａ３で設定した濃度値であるときに、前記ａ２で選択した特性吸収帯での赤外線の吸収ピークの吸光度が０．２〜０．８となる光路長を設定し、
ａ５．  前記ａ４で設定した光路長で前記溶液に赤外線を通過させて溶液の赤外吸収スペクトルを測定して、前記ａ２で選択した特性吸収帯のスペクトル情報を得て、
ａ６．  前記ａ２〜ａ５の操作を前記ａ１で選択した特性吸収帯の全てについて行い、得られたスペクトル情報を合成して２次スペクトルを作成する。
【００１３】
本願第１の発明の赤外吸収スペクトル作成方法において、
前記ａ３で設定する濃度値を、この濃度値が設定される前記既知の物質の想定され得る濃度変動範囲の代表値または制御目標値とするのが好ましく、
前記ａ４で設定される光路長を、選択できる複数の光路長の中から前記吸光度が最も０．４３に近い値となる光路長に設定するのが好ましく、
前記ａ５における赤外線を、波数領域４０００ｃｍ−１から４００ｃｍ−１の中赤外線とするのが好ましい。
【００１４】
本願第２の発明は、既知の物質を１種類以上含み、これら既知の物質に由来する特性吸収帯が２つ以上存在する溶液の、これら既知の物質の濃度を測定するための検量線を作成する方法であって、
ｂ１．  前記既知の物質のそれぞれの濃度を、想定され得る濃度変動範囲内の任意の濃度にした調整液を作成し、
ｂ２．  前記既知の物質に由来する特性吸収帯のうちからスペクトル情報を得たい特性吸収帯を２つ以上選択し、
ｂ３．  前記ｂ２で選択した特性吸収帯のうちから１つの特性吸収帯を選択し、
ｂ４．  前記ｂ３で選択した特性吸収帯が由来する既知の物質に対して任意の目標とする濃度値を設定し、
ｂ５．  前記ｂ４の既知の物質の濃度が前記ｂ４で設定した濃度値であるときに、前記ｂ３で選択した特性吸収帯での赤外線の吸収ピークの吸光度が０．２〜０．８となる光路長を設定し、
ｂ６．  前記ｂ５で設定した光路長で前記調整液に赤外線を透過させて調整液の赤外吸収スペクトルを測定して、前記ｂ３で選択した特性吸収帯のスペクトル情報を得て、
ｂ７．  前記ｂ３〜ｂ６の操作を前記ｂ２で選択した特性吸収帯の全てについて行い、得られたスペクトル情報を合成して２次スペクトルを作成し、
ｂ８．  前記想定され得る濃度変動範囲内で前記既知の物質のそれぞれの濃度を変更した複数の調整液を作成し、これら各調整液で前記ｂ２〜ｂ７の操作を行い複数の２次スペクトルを得て、
ｂ９．  前記ｂ８で得られた複数の２次スペクトルと、各２次スペクトルを得た際の調整液中の前記各既知の物質の濃度値にケモメトリクスを適用して、前記既知の物質ごとに検量線を作成する。
【００１５】
本願第２の発明の検量線作成方法において、
前記ｂ５で設定される光路長を、選択できる複数の光路長の中から前記吸光度が最も０．４３に近い値となる光路長に設定するのが好ましく、
前記ｂ６における赤外線を、波数領域４０００ｃｍ−１から４００ｃｍ−１の中赤外線とするのが好ましい。
【００１６】
本願第３の発明は、既知の物質を１種類以上含み、これら既知の物質に由来する特性吸収帯が２つ以上存在する溶液中の、これら既知の物質の濃度を赤外線の吸光度情報から測定するに際し、本願第２の発明の検量線作成方法で作成した検量線を用いて前記各既知の物質の濃度を算出する溶液濃度定量方法である。
【００１７】
本願第４の発明は、既知の物質を１種類以上含み、これら既知の物質に由来する特性吸収帯が２つ以上存在する溶液中の、これら既知の物質の濃度を赤外線のスペクトル情報から測定する溶液濃度測定装置であって、
赤外線源と、
赤外線検出手段と、
前記赤外線源と前記赤外線検出手段との間に配置されて前記溶液を収容し、赤外線源から照射された赤外線が溶液を通過する光路長を変更できる測定セルと、
前記測定セルを通過した赤外線から赤外吸収スペクトルを作成するスペクトル作成手段と、
作成された赤外吸収スペクトルのスペクトル情報を用いて２次スペクトルを作成する２次スペクトル作成手段と、
作成された２次スペクトルに含まれる特性吸収帯の吸収ピークの値と検量線とを対比して前記各既知の物質の濃度を定量する手段とを備え、
前記２次スペクトル作成手段は、
ｃ１．  前記既知の物質に由来する特性吸収帯のうち、スペクトル情報を得たい２つ以上の特性吸収帯が設定されており、
ｃ２．  前記測定セルの光路長を、前記ｃ１で設定されている特性吸収帯のうちの１つの特性吸収帯に対応する光路長にし、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｃ３．  前記測定セルの光路長を前記ｃ２で選択された光路長に調整するか、または前記ｃ２で選択された光路長に最も近い光路長に調整し、
ｃ４．  前記ｃ３で調整された光路長で測定された赤外吸収スペクトルを前記スペクトル作成手段から得て、前記ｃ２で選択した光路長が対応する特性吸収帯のスペクトル情報を得て、
ｃ５．  前記ｃ２〜ｃ４の操作を前記ｃ１で設定されている全ての特性吸収帯に対応する光路長について行い、得られたスペクトル情報を合成して２次スペクトルを作成する。
【００１８】
本願第５の発明は、既知の物質を１種類以上含み、これら既知の物質に由来する特性吸収帯が２つ以上存在する溶液中の、これら既知の物質の濃度を赤外線のスペクトル情報から測定する溶液濃度測定装置であって、
赤外線源と、
赤外線検出手段と、
前記赤外線源と前記赤外線検出手段との間に配置されて前記溶液を収容し、赤外線源から照射された赤外線が溶液を通過する光路を複数有し、これら各光路の光路長が異なっている測定セルと、
前記測定セルを通過した赤外線から赤外吸収スペクトルを作成するスペクトル作成手段と、
作成された赤外吸収スペクトルのスペクトル情報を用いて２次スペクトルを作成する２次スペクトル作成手段と、
作成された２次スペクトルに含まれる特性吸収帯の吸収ピークの値と検量線とを対比して前記各既知の物質の濃度を定量する手段とを備え、
前記２次スペクトル作成手段は、
ｄ１．  前記既知の物質に由来する特性吸収帯のうち、スペクトル情報を得たい２つ以上の特性吸収帯が設定されており、
ｄ２．  前記ｃ１で設定されている特性吸収帯のうちの１つの特性吸収帯に対応する光路長を選択し、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｄ３．  前記測定セルの前記ｄ２で選択された光路長の光路、または前記測定セルの前記ｄ２で選択された光路長に最も近い光路で測定された赤外吸収スペクトルを前記スペクトル作成手段から得て、前記ｄ２で選択された光路長が対応する特性吸収帯のスペクトル情報を得て、
ｄ４．  前記ｄ２とｄ３の操作を前記ｄ１で設定されている全ての特性吸収帯に対応する光路長について行い、得られたスペクトル情報を合成して２次スペクトルを作成する。
ここで、光路を複数有する測定セルには、無段階の光路長をもつ形状の測定セルも含まれる。
【００１９】
本願第４の発明の溶液濃度測定装置において、赤外線源から照射された赤外線を測定セル中の溶液の液面を通る光路を通過させ、赤外線が溶液を通過する光路長の変更を測定セル中の溶液の液面高さを変えることで行ってもよい。
【００２０】
本願第４の発明の溶液濃度測定装置において、測定セルが複数の異なる光路長の光路を備え、赤外線が溶液を通過する光路長の変更を、測定セルと赤外線の光路との位置関係を相対的に変えることで行い各光路長に対応する複数の赤外吸収スペクトルを作成してもよい。
【００２１】
本願第４の発明の溶液濃度測定装置において、測定セルが複数の異なる光路長の光路を備え、これら光路のいずれかを通過した複数の赤外線を同時に検出できる複数の赤外線検出手段を備えることで、測定セルの各光路長に対応した赤外吸収スペクトルを同時に作成してもよい。ここで、測定セルを通過する複数の赤外線は、複数の赤外線源からの赤外線を照射したり、1つの赤外線源から照射された赤外線を分光することで実現できる。
【００２２】
本願第４および第５の発明の溶液濃度測定装置において、測定セルが透過型セルであり、透過型セルが多段階の光路長の光路を備えてもよい。ここで、透過型セルは、多段階の光路長の光路を備えた隔室で構成されていてもよい。
【００２３】
本願第４および第５の発明の溶液濃度測定装置において、測定セルが透過型セルであり、透過型セルが無段階の光路長の光路を備えもとよい。
【００２４】
本願第４の発明の溶液濃度測定装置において、測定セルを透過型セルとし、赤外線源から照射された赤外線を透過型セルの内部を往復させる鏡を備え、赤外線が溶液を通過する光路長の変更を、赤外線が透過型セルの内部を通過する回数を変更することで行ってもよい。
【００２５】
本願発明における「既知の物質」とは濃度を測定したい物質のことであり、溶液中に含まれる全ての既知の物質のことを意味しているのではない。また、「既知の物質を１種類以上含み、これら既知の物質に由来する特性吸収帯が２つ以上存在する」とは、(ｉ)濃度を測定したい既知の物質が２種以上あり、これら既知の物質がそれぞれ１つ以上の特性吸収帯を有する場合、または (ｉｉ)濃度を測定したい既知の物質が１つあり、この既知の物質が２つ以上の特性吸収帯を有する場合、を意味する。
【００２６】
本願発明における「特性吸収帯」とは、多成分混合溶液中の各物質の分子が有する官能基の種類に対応した特徴的な吸収ピークが現れる赤外吸収スペクトルの特定波数領域をいう。
【００２７】
本願発明における「スペクトル情報」とは、特性吸収帯の吸収ピークが少なくともひとつは含まれる赤外吸収スペクトルから得られる吸光度と波数との関係をいう。
【００２８】
本願発明における「２次スペクトル情報」とは、複数の光路長で取得した赤外吸収スペクトルから、赤外線分光分析の感度が良い条件で測定された各物質の吸収ピークのスペクトル情報を得て、前記スペクトル情報を合成して新たに得られるスペクトル情報である。
【００２９】
本願発明における「ケモメトリクス」とは、化学計測分野において多変量解析を用いて最適情報を得る学問分野で、１つのサンプルに対し行列を用いて複数の変量を扱い、多成分混合系における目的物の定量や多数サンプルの分類、差異分析を行う手法である。目的物の定量における主な手法に、ＭＬＲ（線形重回帰）法、ＰＣＲ（主成分回帰）法、ＰＬＳ（部分最小２乗）法などがある。
【発明の効果】
【００３０】
本発明の赤外吸収スペクトル作成方法によれば、赤外吸収スペクトルにおいて複数の特性吸収帯の吸収ピークをもつ多成分混合溶液であって、各吸収ピークに最適な光路長が異なる場合であっても、赤外分光分析の感度が良い条件で各吸収ピークのスペクトル情報を得ることができる。
【００３１】
また、本発明の多成分混合溶液の検量線作成方法によれば、各成分物質の濃度が変化した複数水準の多成分混合溶液（調整液）において、赤外分光分析の感度が良い条件で取得したスペクトル情報と、同スペクトル情報に対応した濃度情報にケモメトリクスを適用して高精度な定量が期待できる検量線を作成できる。
【００３２】
また、本発明の多成分混合溶液の濃度定量方法によれば、赤外吸収スペクトルにおいて複数の特性吸収帯の吸収ピークをもつ多成分混合溶液であって、各吸収ピークに最適な光路長が異なる場合であっても、多成分混合溶液に含まれる各成分物質の濃度を精度よく測定することができる。
【００３３】
また、本発明の多成分混合溶液の濃度測定装置によれば、多成分混合溶液に含まれる各成分物質の濃度測定の高精度化が期待できる。また、手動で透過セルの光路長を変更する作業と赤外吸収スペクトルを取得する作業を繰り返さずとも、自動で上記測定を実施できる。
【図面の簡単な説明】
【００３４】
【図１】本発明の溶液濃度測定装置の概略図である。
【図２】測定セルの一実施形態であるフローセルの概略図である。
【図３】測定セルの一実施形態であるステップセルの概略図である。
【図４】測定セルの一実施形態である個別セルの概略図である。
【図５】測定セルの一実施形態であるスロープセルの概略図である。
【図６】測定セルの一実施形態であるミラー付きセルの概略図である。
【図７】物質Ａ、物質Ｂ、物質Ｃが含まれた多成分混合溶液の赤外吸収スペクトルの例（１）である。
【図８】赤外分光分析における吸光度と感度の関係を示す感度曲線である。
【図９】物質Ａ、物質Ｂ、物質Ｃが含まれた多成分混合溶液の赤外吸収スペクトルの例（２）である。
【図１０】物質Ａ、物質Ｂ、物質Ｃが含まれた多成分混合溶液の赤外吸収スペクトルの例（３）である。
【図１１】物質Ａ、物質Ｂ、物質Ｃが含まれた多成分混合溶液の赤外吸収スペクトルの例（４）である。
【図１２】物質Ａ、物質Ｂ、物質Ｃが含まれた多成分混合溶液の赤外吸収スペクトルから作成した２次スペクトル情報の例である。
【図１３】光路長１．０ｍｍのスペクトル情報のみで作成した物質Ａ、物質Ｃ、物質Ｃの検量結果である。
【図１４】光路長０．３ｍｍのスペクトル情報のみで作成した物質Ａ、物質Ｃ、物質Ｃの検量結果である。
【図１５】光路長１．０ｍｍと光路長０．３ｍｍのスペクトル情報から合成した２次スペクトル情報を用いて作成した物質Ａ、物質Ｃ、物質Ｃの検量結果である。
【発明を実施するための形態】
【００３５】
本発明の実施の形態について、図面を参照しながら説明する。
【００３６】
図１に本発明の濃度測定装置の概略図を示しており、赤外線源１１、分光器１２、測定セル１３、赤外線を検出するとともに信号を検出する赤外線検出器１４、信号を分析する分析装置１５などから構成される。測定セル１３に被測定液１６が収容され、後ほど説明するように、測定セル１３の光路長Ｌが調節可能に構成されている。分光器１２から入射光１７が測定セル１３に入り、被測定液１６を透過した透過光１８が赤外線検出１４で電気信号へと変換される。
【００３７】
図２は測定セル１３の一実施形態であるフローセル２１の概略図である。被測定液１６が注水口２２からフローセル２１に入り、排水口２３から排出される。液面の高さＨは、注水口２２と排水口２３における測定液１６の流量を調節することで変化する。フローセル２１に照射される入射光１７は、液面の高さＨの距離だけ被測定液を通過し、透過光１８としてフローセル２１から出てくる。このとき、液面の高さＨは光路長Ｌに等しく、液面の高さＨを変化させることで光路長Ｌが調節可能となる。
【００３８】
図３は測定セル１３の一実施形態であるステップセル３１の概略図である。ステップセル３１は、セル幅Ｗが異なる多段階の光路を有している。被測定液１６がステップセル３１内に収容され、入射光１７と透過光１８の光軸の位置とステップセル３１がＸ１あるはＸ２の方向に相対的に移動することで、予め設定されたセル幅Ｗに応じて光路長Ｌが調整可能となる。このとき、セル幅Ｗと光路長Ｌは等しい。
【００３９】
図４は測定セル１３の一実施形態である個別セル４１の概略図である。個別セル４１はセル幅Ｗが異なる複数のセルを有している（第１のセル４２、第２のセル４３、第３のセル４４、第４のセル４５）。各々のセルに被測定液１６が収容され、入射光１７と透過光１８の光軸上に設置されるセルを切り替えることで、予め設定されたセル幅Ｗに応じて光路長Ｌが調整可能となる。このとき、セル幅Ｗと光路長Ｌは等しい。
【００４０】
図５は測定セル１３の一実施形態であるスロープセル５１の概略図である。スロープセル５１は、無段階でセル幅Ｗが変化する光路を有している。被測定液１６がスロープセル５１内に収容され、入射光１７と透過光１８の光軸の位置とスロープセル５１がＸ１あるはＸ２の方向に相対的に移動することで、無段階でセル幅Ｗを変更でき、光路長Ｌが調整可能となる。このとき、セル幅Ｗと光路長Ｌは等しい。
【００４１】
図６は測定セル１３の一実施形態であるミラー付セル６１の概略図である。第１のミラー６２と第２のミラー６３の間に測定セル１３が設置される。被測定液１６が測定セル１３内に収容され、入射光１７が第１のミラー６２を通して測定セル１３に照射される。測定セル１３を通過した光は第２のミラーで反射し、再び測定セル１３に照射される。このように第１のミラー６２と第２のミラー３で反射を繰り返し、測定セルを複数回通過した光が透過光１８として出てくる。このときの光路長Ｌは反射角が十分小さい場合、（反射回数＋１）×セル幅Ｗとおおむね等しく、反射角が大きい場合はセル幅Ｗ×（２＋（反射回数―１）／ＣＯＳθ）と等しい。反射回数を変化させることで光路長Ｌが調整可能となる。
【００４２】
このように、本発明の実施の形態は多成分混合溶液の赤外吸収スペクトルを測定するに際し、光路長Ｌを任意の長さに調整できる。また、多成分混合溶液に含まれる物質のそれぞれの吸収ピークの吸光度Ａが０．２から０．８になるように光路長Ｌを適切に設定することにより、高感度で測定されたそれぞれの吸収ピークのスペクトル情報を得ることができる。
【００４３】
この高感度で測定された吸収ピークのスペクトル情報から２次スペクトル情報を作成し、ケモメトリクスを適用することで多成分混合溶液に含まれる各成分物質の高精度な定量が期待できる検量線を得ることができる。
【００４４】
さらに、濃度未知の多成分混合溶液の赤外吸収スペクトルを各物質の特性吸収帯の吸収ピークごとに設定した光路長で測定し、そこから得られたスペクトル情報から２次スペクトル情報を合成し、前記検量線を適用することで、各物質の濃度を高精度に測定することができる。
【００４５】
以上、本発明の好ましい実施の形態について詳述したが、本発明は上記した特定の実施形態に限定されるものではなく、特許請求の範囲に記載された本発明の要旨の範囲内において、種々の変形・変更が可能なものである。
【実施例】
【００４６】
本発明について実施例を用い、図面を参照しながらさらに詳細に説明する。
【００４７】
[赤外線吸収スペクトルの作成]
最初に赤外吸収スペクトルの作成について説明する。
図７は、物質Ａ、物質Ｂ、物質Ｃが含まれた多成分混合溶液を測定セルの光路長を１．０ｍｍに設定して測定した赤外吸収スペクトルの例（１）である。横軸は波数を表わし、縦軸はその波数における多成分混合溶液の吸光度を表わしている。各物質の濃度の代表値は物質Ａが５５質量％、物質Ｂが１２．５質量％、物質Ｃが７．５質量％であり、物質Ａは５０〜６０質量％の範囲、物質Ｂは１０〜１５質量％の範囲、物質Ｃは５．５〜１０質量％の範囲でそれぞれ濃度変動することがわかっている。
【００４８】
図７は、各物質の濃度が代表値（物質Ａが５５質量％、物質Ｂが１２．５質量％、物質Ｃが７．５質量％）である多成分混合溶液を測定して得られた赤外吸収スペクトルである。
図７には、物質Ａ、物質Ｂ、物質Ｃに固有な特性吸収帯を示している。Ａ１とＡ２は物質Ａに固有な特性吸収帯でＡ１は１０００ｃｍ−１付近、Ａ２は８００ｃｍ−１付近に吸収ピークがある。Ｂ１とＢ２は物質Ｂに固有な特性吸収帯でＢ１は２６００ｃｍ−１付近、Ｂ２は１６００ｃｍ−１付近に吸収ピークがある。Ｃ１は物質Ｃに固有な特性吸収帯で１７００ｃｍ−１付近に吸収ピークがある。
【００４９】
赤外分光分析では、透過率Ｔと感度Ｇの関係  Ｇ＝−（ＴｌｎＴ）および吸光度Ａと透過率Ｔとの関係  Ａ＝−ｌｏｇＴ  から、図８に示す感度曲線が得られる。横軸は吸光度Ａを表わし、左縦軸はある吸光度における透過率、右縦軸はある吸光度における感度を表わしている。
【００５０】
ここで感度Ｇとは、濃度変動（吸光度Ａに比例）に対する透過率Ｔの変化率であり、感度Ｇの値が大きいほど濃度が変動した際に透過率Ｔが大きく変化する。すなわち、濃度変化に対する透過率Ｔの変化がなるべく大きい方が外乱に影響され辛いため、透過率Ｔから計算した吸光度Ａを用いて濃度を定量する際には、感度Ｇが大きい方が好ましい。
【００５１】
また、この感度Ｇの逆数である−（ＴｌｎＴ）−１と透過率Ｔの関係は、Ｔｗｙｍａｎ−ｏｔｈｉａｎの誤差曲線として一般に知られている。すなわち、感度Ｇが大きいほど透過率Ｔの値を読み取る際に想定される誤差が小さいということを意味する。
【００５２】
図８からわかるように、吸光度が０．４３で感度が最大となる。したがって、吸光度が０．４３となるような測定条件に設定するのが最もよいが、機械的な設計条件の制約から、必ずしも０．４３となる光路長に設定できないこともあるので、この場合には、選択できる光路長の中から、吸光度が最も０．４３に近い値となる光路長を選択するのがよい。少なくとも吸光度の変動の範囲が０．２〜０．８となるように設計すれば、最大感度の８０％以上の感度を得られるので、吸収ピークを利用して十分精度のよいスペクトル情報が得られると期待できる。
【００５３】
図７に示す赤外吸収スペクトルでは、吸収ピークＢ２と吸収ピークＣ１は吸光度が０．２から０．８の範囲におさまっており、これらの２つの吸収ピークは感度よく測定でき、得られるスペクトル情報は精度の高いものとなる。
【００５４】
一方、吸収ピークＡ１、吸収ピークＡ２、および吸収ピークＢ１は、いずれも吸光度が０．８を越えた値となっており、これら３つの吸収ピークを利用すると感度は低下するので、スペクトル情報の精度は高い結果とはならない。
【００５５】
図７では、光路長が１．０ｍｍと設定したが、これより小さく設定して、吸収ピークＢ２と吸収ピークＣ１の吸光度を０．４３に近い値になるように設定することによって、吸収ピークＢ２と吸収ピークＣ１のスペクトル情報の精度を高めることができる。
【００５６】
図９は、同じ組成の多成分混合溶液を測定用セルの光路長を０．３ｍｍに設定して測定した赤外吸収スペクトルの例（２）である。
【００５７】
図９において、吸収ピークＢ２と吸収ピークＣ１の吸光度が０．２を下回る値となったが、吸収ピークＡ１、吸収ピークＡ２、および吸収ピークＢ１は、いずれも吸光度が０．２から０．８の範囲に入っている。吸収ピークＢ２と吸収ピークＣ１の感度は低く、スペクトル情報の精度は低い結果となるが、吸収ピークＡ１、吸収ピークＡ２、および吸収ピークＢ１は感度が高く、スペクトル情報の測定精度は高い結果が得られる。
【００５８】
このように、測定セルの光路長をそれぞれの吸収ピークの吸光度が０．２から０．８になるように適切に設定することにより、それぞれの吸収ピークのスペクトル情報を高い感度で得ることができる。
【００５９】
つまり、既知の物質を１種類以上含み、これら既知の物質に由来する特性吸収帯が２つ以上存在する溶液の赤外吸収スペクトルは以下の手順で作成するのがよい。
ａ１．  前記既知の物質に由来する特性吸収帯のうちからスペクトル情報を得たい特性吸収帯を２つ以上選択し、
ａ２．  前記ａ１で選択した特性吸収帯のうちから１つの特性吸収帯を選択し、
ａ３．  前記ａ２で選択した特性吸収帯が由来する既知の物質に対して任意の目標とする濃度値を設定し、
ａ４．  前記ａ３の既知の物質の濃度が前記ａ３で設定した濃度値であるときに、前記ａ２で選択した特性吸収帯での赤外線の吸収ピークの吸光度が０．２〜０．８となる光路長を設定し、
ａ５．  前記ａ４で設定した光路長で前記溶液に赤外線を通過させて溶液の赤外吸収スペクトルを測定して、前記ａ２で選択した特性吸収帯のスペクトル情報を得て、
ａ６．  前記ａ２〜ａ５の操作を前記ａ１で選択した特性吸収帯の全てについて行い、得られたスペクトル情報を合成して２次スペクトルを作成する。
【００６０】
ここで、手順ａ５で照射する赤外線は波長領域が４０００ｃｍ−１から４００ｃｍ−１の中赤外線を使うのがよい。  具体的に本実施例をこの手順に当てはめると次のようになる。
「既知の物質」は物質Ａ、物質Ｂおよび物質Ｃであり、「既知の物質に由来する特性吸収帯」は吸収ピークＡ１、吸収ピークＡ２、吸収ピークＢ１、吸収ピークＢ２および吸収ピークＣ１をそれぞれ含む波長領域である。溶液が物質Ａ、物質Ｂ、物質Ｃ以外の既知の物質を含んでいてもよい。
【００６１】
（手順ａ１） 先ず、スペクトル情報を得たい２つ以上の特性吸収帯を選択する。具体的には、吸収ピークＡ１、吸収ピークＡ２、吸収ピークＢ１、吸収ピークＢ２および吸収ピークＣ１をそれぞれ含む波長領域を選択する。
（手順ａ２） 次いで、手順ａ２で選択した特性吸収帯から１つの特性吸収帯を選択する。例えば吸収ピークＡ１を含む波長領域を選択する。
（手順ａ３） 次いで、吸収ピークＡ１を含む波長領域が由来する既知の物質である物質Ａの目標とする濃度値を設定する。具体的には５５質量％を設定する。
（手順ａ４） 次いで、物質Ａが５５質量％であるときに、吸収ピークＡ１を含む波長領域での赤外線の吸収ピークの吸光度が０．２〜０．８となる光路長を設定する。具体的には０．３ｍｍを設定する。
（手順ａ５） 次いで、光路長０．３ｍｍで溶液の赤外吸収スペクトルを測定し、吸収ピークＡ１を含む波長領域のスペクトル情報を得る。
【００６２】
（手順ａ６） ａ１〜ａ５の手順を、残りの吸収ピークＡ２、吸収ピークＢ１、吸収ピークＢ２および吸収ピークＣ１をそれぞれ含む波長領域についても同様に行う。具体的には以下(ｉ)〜(ｉｖ)のように設定して、それぞれ赤外吸収スペクトルを測定してスペクトル情報を得て、それらを合成して２次スペクトルを作成する。
(ｉ) 吸収ピークＡ２を含む波長領域のスペクトル情報を得る際は、物質Ａの目標濃度値を５５質量％に設定し、光路長を０．３ｍｍに設定する。
(ｉｉ) 吸収ピークＢ１を含む波長領域のスペクトル情報を得る際は、物質Ｂの目標濃度値を１２．５質量％に設定し、光路長を０．３ｍｍに設定する。
(ｉｉｉ) 吸収ピークＢ２を含む波長領域のスペクトル情報を得る際は、物質Ｂの目標濃度値を１２．５質量％に設定し、光路長を１．０ｍｍに設定する。
(ｉｖ) 吸収ピークＣ１を含む波長領域のスペクトル情報を得る際は、物質Ｃの目標濃度値を７．５質量％に設定し、光路長を１．０に設定する。
【００６３】
[検量線の作成、濃度の定量]
次に、検量線の作成について説明する。前記した各物質に想定され得る濃度変動範囲で、物質Ａの濃度、物質Ｂの濃度、および物質Ｃの濃度、それぞれを変えた多成分混合溶液（調整液）を準備する。準備した調整液の一覧を表１に示す。
【００６４】
【表１】
2015184018.tif 000003
【００６５】
これらの調整液について、測定セルの光路長を１．０ｍｍと０．３ｍｍの２通りに設定して測定する。
【００６６】
図１０は、物質Ａ、物質Ｂ、および物質Ｃが含まれた調整液の水準１〜５を測定用セルの光路長を１．０ｍｍに設定して測定した赤外吸収スペクトルの例（３）である。
【００６７】
光路長を１．０ｍｍに設定して測定した赤外吸収スペクトルは、いずれも吸収ピークＢ２と吸収ピークＣ１は吸光度がおおむね０．２から０．８の範囲に入り、吸収ピークＡ１、吸収ピークＡ２、および吸収ピークＢ１は、いずれも吸光度が０．８を越えた値となった。
【００６８】
図１１は、物質Ａ、物質Ｂ、および物質Ｃが含まれた調整液の水準１〜５を測定用セルの光路長を０．３ｍｍに設定して測定した赤外吸収スペクトルの例（４）である。
【００６９】
測定用セルの光路長を０．３ｍｍに測定した赤外吸収スペクトルは、吸収ピークＡ１、吸収ピークＡ２、および吸収ピークＢ１が、いずれも吸光度が０．２から０．８の範囲に入り、吸収ピークＢ２および吸収ピークＣ１は吸光度が０．２未満となった。
【００７０】
したがって、吸収ピークＢ２と吸収ピークＣ１については、光路長１．０ｍｍに設定して得られたスペクトル情報が、吸収ピークＡ１、吸収ピークＡ２、および吸収ピークＢ１については、光路長を０．３ｍｍに設定して得られたスペクトル情報が精度の高い結果となる。
【００７１】
つまり、光路長を１．０ｍｍに設定して測定して得られる赤外吸収スペクトルの吸収ピークＢ２と吸収ピークＣ１のスペクトル情報と、光路長０．３に設定して得られる赤外吸収スペクトルの吸収ピークＡ１、吸収ピークＡ２、および吸収ピークＢ１のスペクトル情報とを合成することで、すべての吸収ピークについて精度の高いスペクトル情報が得られることとなる。
【００７２】
図１２は、図１０（光路長１．０ｍｍ）と図１１（光路長０．３ｍｍ）の赤外吸収スペクトルから取得したスペクトル情報より新たに合成した２次スペクトル情報である。このとき吸収ピークＡ１、Ａ２およびＢ１については光路長１．０ｍｍのスペクトル情報を、吸収ピークＢ２１およびＣ１については光路長０．３ｍｍのスペクトル情報を用いた。図１２において、すべての吸収ピークの吸光度が０．２〜０．８の範囲内の値となっている。
【００７３】
次に、上記調整液の各物質濃度とスペクトル情報から検量線を作成する。
【００７４】
図１０の赤外吸収スペクトル（光路長１．０ｍｍ）のみからスペクトル情報を取得し、作成した検量線を検量線１とする。検量線１の作成にはケモメトリクス手法のひとつであるＰＬＳ法を用い、波長流域には３５００ｃｍ−１から４００ｃｍ−１の領域を使用した。このとき、主成分因子数は１とした。
【００７５】
図１１の赤外吸収スペクトル（光路長０．３ｍｍ）のみからスペクトル情報取得し、作成した検量線を検量線２とする。検量線２の作成にはケモメトリクス手法のひとつであるＰＬＳ法を用い、波長領域には３５００ｃｍ−１から４００ｃｍ−１の波長領域を使用した。このとき、主成分因子数は１とした。
【００７６】
図１２の２次スペクトル情報を用いて作成した検量線を検量線３とする。検量線３の作成にはケモメトリクス手法のひとつであるＰＬＳ法を用い、波長領域には波数領域には２８００ｃｍ−１から５５０ｃｍ−１の領域を使用した。このとき、主成分因子数は２とした。
【００７７】
次に、表２に示す水準６〜８の調整液を未知濃度試料として扱い、水準１〜５の調整液のスペクトル情報にＰＬＳ法を適用して作成した検量線１〜３を用いて水準６〜８の濃度測定を実施した。
【００７８】
【表２】
2015184018.tif 000004
【００７９】
図１３は光路長１．０ｍｍのスペクトル情報のみで作成した検量線１で物質Ａ、物質Ｂ、物質Ｃを検量した結果である。
【００８０】
また、表３に検量線１を水準１〜８の調整液のスペクトル情報に適用したときの実濃度と測定濃度の相関係数（Ｒ２）、検量線試料（水準１〜５）の濃度測定誤差値（ＲＭＳＥＣ）、未知濃度試料（水準６〜８）の濃度測定誤差値（ＲＭＳＥＰ）をまとめて示した。濃度測定誤差値とは、各水準の実濃度と測定濃度の差（誤差）から二乗平均平方根（ＲＭＳ）を計算した値であり、誤差なしの理想的な場合にはゼロとなるものである。
【００８１】
【表３】
2015184018.tif 000005
【００８２】
図１３の検量結果において、物質Ｂおよび物質Ｃの濃度測定精度が特に低いことがわかる。表３においても、物質Ｂおよび物質Ｃは相関係数が低く、測定誤差の大きさを表すＲＭＳＥＣ、ＲＭＳＥＰの値が物質Ａと比較して大きい。これは吸収ピークＢ２と吸収ピークＣ１の吸光度が光路長１．０ｍｍでは０．２以下になってしまい、十分な感度でスペクトル情報が得られていないためである。
【００８３】
図１４は光路長０．３ｍｍのスペクトル情報のみで作成した検量線２で物質Ａ、物質Ｂ、物質Ｃを検量した結果である。
【００８４】
また、表４に検量線２を水準１〜８の調整液のスペクトル情報に適用したときのＲ２、検量線試料（水準１〜５）のＲＭＳＥＣ、未知濃度試料（水準６〜８）のＲＭＳＥＰをまとめて示した。
【００８５】
【表４】
2015184018.tif 000006
【００８６】
図１４の検量結果および表４においても、図１３、表３と同様に物質Ｂおよび物質Ｃの濃度測定精度が低いことがわかる。これは吸収ピークＢ１とＢ２のスペクトル情報の感度に差があるために物質Ｂの濃度測定精度が低下したことに加えて、吸収ピークＢ２とＣ１が互い干渉し合っているために物質Ｃの濃度測定精度に物質Ｂの誤差が影響したためである。
【００８７】
このように複数の成分が含まれる多成分混合溶液に含まれる各成分物質の濃度をそれぞれ測定しようとした場合、いずれかひとつの物質に適した吸光度になるように光路長を設定しても、他の物質にとってその光路長が不適切であると吸光度から求まる濃度は誤差が大きくなる。
【００８８】
図１５は光路長１．０ｍｍと光路長０．３ｍｍのスペクトル情報から合成した２次スペクトル情報を用いて作成した検量線３で物質Ａ、物質Ｂ、物質Ｃの検量した結果である。このとき吸収ピークＡ１、Ａ２およびＢ１については光路長１．０ｍｍのスペクトル情報を、吸収ピークＢ２１およびＣ１については光路長０．３ｍｍのスペクトル情報を用いて２次スペクトル情報を合成した。
【００８９】
また、表４に検量線３を水準１〜８の調整液のスペクトル情報に適用したときのＲ２、検量線試料（水準１〜５）のＲＭＳＥＣ、未知濃度試料（水準６〜８）のＲＭＳＥＰをまとめて示した。
【００９０】
【表５】
2015184018.tif 000007
【００９１】
図１５において、物質Ａ、物質Ｂおよび物質Ｃともに高い濃度測定精度が得られた。また、表５では、表３および表４と比較して、物質Ａの濃度測定精度は若干低下したものの、物質Ｂおよび物質Ｃの相関係数、測定誤差が大きく改善され、濃度測定精度が向上したことがわかる。これは互いに干渉し合った吸収ピークを含め、検量線に用いたすべての吸収ピークの吸光度が０．２〜０．８の範囲内の値となり、十分に高感度なスペクトル情報から合成した２次スペクトル情報をケモメトリクスに適用できたためである。
【００９２】
つまり、既知の物質を１種類以上含み、これら既知の物質に由来する特性吸収帯が２つ以上存在する溶液の、これら既知の物質の濃度を測定するための検量線を以下の方法で作成するのがよい。そして、これら既知の物質の濃度を赤外線の吸光情報から測定するに際し、この作成した検量線を用いて既知の物質の濃度を算出するのがよい。
ｂ１．  前記既知の物質のそれぞれの濃度を、想定され得る濃度変動範囲内の任意の濃度にした調整液を作成し、
ｂ２．  前記既知の物質に由来する特性吸収帯のうちからスペクトル情報を得たい特性吸収帯を２つ以上選択し、
ｂ３．  前記ｂ２で選択した特性吸収帯のうちから１つの特性吸収帯を選択し、
ｂ４．  前記ｂ３で選択した特性吸収帯が由来する既知の物質に対して任意の目標とする濃度値を設定し、
ｂ５．  前記ｂ４の既知の物質の濃度が前記ｂ４で設定した濃度値であるときに、前記ｂ３で選択した特性吸収帯での赤外線の吸収ピークの吸光度が０．２〜０．８となる光路長を設定し、
ｂ６．  前記ｂ５で設定した光路長で前記調整液の赤外吸収スペクトルを測定して、前記ｂ３で選択した特性吸収帯のスペクトル情報を得て、
ｂ７．  前記ｂ３〜ｂ６の操作を前記ｂ２で選択した特性吸収帯の全てについて行い、得られたスペクトル情報を合成して２次スペクトルを作成し、
ｂ８．  前記想定され得る濃度変動範囲内で前記既知の物質のそれぞれの濃度を変更した複数の調整液を作成し、これら各調整液で前記ｂ２〜ｂ７の操作を行い複数の２次スペクトルを得て、
ｂ９．  前記ｂ８で得られた複数の２次スペクトルと、各２次スペクトルを得た際の調整液中の前記各既知の物質の濃度値にケモメトリクスを適用して、前記既知の物質ごとに検量線を作成する。
【００９３】
具体的に本実施例をこの手順に当てはめると次のようになる。
「既知の物質」と「既知の物質に由来する特性吸収帯」は前述の赤外線スペクトルの作成方法と同じである。
（手順ｂ１） 先ず、既知の物質のそれぞれの濃度を、想定され得る濃度変動範囲内の任意の濃度にした調整液を作成する。具体的には、想定され得る濃度変動の範囲は、物質Ａは５０〜６０質量％、物質Ｂは１０〜１５質量％、物質Ｃは５．５〜１０質量％の範囲である。そして、例えば物質Ａが５２．１質量％、物質Ｂが１１．１質量％、物質Ｃが５．８質量％である水準１の調整液を作成する。
（手順ｂ２）〜（手順ｂ７）  次いで、作成した水準１の調整液を使って、前述の赤外線スペクトルの作成方法のａ１〜ａ６と同じ手順を行い、２次スペクトルを得る。このとき、赤外線スペクトルの作成方法での「溶液」を「調整液」と読み替えればよい。
（手順ｂ８）次に、表１に示した水準２〜５の調整液を作成し、それぞれの調整液を使ってｂ２〜ｂ７の手順を行い、それぞれ２次スペクトルを得る。
（手順ｂ９） 次に、水準１〜５の調整液中の物質Ａ、物質Ｂおよび物質Ｃの各濃度値と、各水準の調整液で得られた２次スペクトルにケモメトリクスを適用して、物質Ａ、物質Ｂおよび物質Ｃの検量線を作成する。
【００９４】
[溶液濃度測定装置]
次に、多成分混合溶液の濃度測定装置の実施例について説明する。
【００９５】
赤外吸収スペクトルが複雑で吸収ピークごとに最適な光路長が大きく異なるような多成分混合溶液においては、各吸収ピークごとに異なる光路長を数多く設定する必要があり、光路長が固定された通常の赤外分光分析装置では高精度かつ簡便な赤外吸収スペクトルの取得および濃度測定が可能ではあるが、測定作業が煩雑になる。また経時変化にも弱い。
【００９６】
そこで、既知の物質を１種類以上含み、これら既知の物質に由来する特性吸収帯が２つ以上存在する溶液中の、これら既知の物質の濃度を赤外線のスペクトル情報から測定する溶液濃度測定装置は、以下のような構成とするのがよい。
【００９７】
赤外線源と、赤外線検出手段と、前記赤外線源と前記赤外線検出手段との間に配置されて前記溶液を収容し、赤外線源から照射された赤外線が溶液を通過する光路長を変更できる測定セルと、前記測定セルを通過した赤外線から赤外吸収スペクトルを作成するスペクトル作成手段と、作成された赤外吸収スペクトルのスペクトル情報を用いて２次スペクトルを作成する２次スペクトル作成手段と、作成された２次スペクトルに含まれる特性吸収帯の吸収ピークの値と検量線とを対比して前記各既知の物質の濃度を定量する手段とを備えた溶液濃度測定装置であって、
前記２次スペクトル作成手段は、
ｃ１．  前記既知の物質に由来する特性吸収帯のうち、スペクトル情報を得たい２つ以上の特性吸収帯が設定されており、
ｃ２．  前記測定セルの光路長を、前記ｃ１で設定されている特性吸収帯のうちの１つの特性吸収帯に対応する光路長にし、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｃ３．  前記測定セルの光路長を前記ｃ２で選択された光路長に調整するか、または前記ｃ２で選択された光路長に最も近い光路長に調整し、
ｃ４．  前記ｃ３で調整された光路長で測定された赤外吸収スペクトルを前記スペクトル作成手段から得て、前記ｃ２で選択した光路長が対応する特性吸収帯のスペクトル情報を得て、
ｃ５．  前記ｃ２〜ｃ４の操作を前記ｃ１で設定されている全ての特性吸収帯に対応する光路長について行い、得られたスペクトル情報を合成して２次スペクトルを作成する。
【００９８】
つまり、この濃度測定装置は、赤外線源から照射された赤外線が溶液を通過する光路長を変更できる測定セルを備えることで、前述の赤外線スペクトルの作成方法を簡便に実現できる濃度測定装置である。
【００９９】
続いて、様々な測定セルを用いた具体例を説明する。まず、図１に示した濃度測定装置と図２に示したフローセルを用いて多成分混合溶液に含まれる各物質の濃度を測定した。この場合、液面の高さＨを変化させることで光路長が調節できるため、様々な物質の最適光路長の設定が可能となる。また、多成分混合溶液を常に新鮮な状態に入れ替えながら赤外吸収スペクトルの取得ができるため、液の状態が経時変化する物質のインラインでの濃度測定などに適している。
【０１００】
次に、図１に示した濃度測定装置と図３に示したステップセルを用いて多成分混合溶液に含まれる各物質の濃度を測定した。工業製品のように多成分混合溶液中に含まれる成分物質が予め判明している場合、各物質の吸収ピークの最適光路長を調べることが可能であるため、各物質の吸収ピークに対応した複数の光路長をもつ多段階の透過セル（ステップセル）を設計することができる。このステップセルを用いれば、ステップセルと赤外線の光軸を相対的に移動させるだけで最適光路長の切り替えができ、素早く多成分混合溶液の濃度測定が実施できる。
【０１０１】
ステップセルの場合と同様、多成分混合溶液中に含まれる成分物質とそれらの物質の吸収ピークに対応する最適光路長が予め判明しているならば、図１に示した濃度測定装置内に、図４に示した複数の個別セルを用いても、個別セルを切り替えて多成分混合溶液の赤外吸収スペクトルの取得と濃度測定が可能である。この場合、非常に単純な構造の透過セルを使用することができる。
【０１０２】
図１に示した濃度測定装置と図５に示したスロープセルを用いて多成分混合溶液に含まれる各物質の濃度を測定した。スロープセルでは各物質の吸収ピークに対応した複数の光路長を無段階に設定できるため、様々な物質の最適光路長を設定可能である。また、光軸の切り替えは、ステップセルと同様に、赤外線の光軸を相対的に移動させるだけで可能であるため、素早く多成分混合溶液の濃度測定が実施できる。
【０１０３】
また、図１に示した濃度測定装置と図６に示したミラー付きセルを用いて多成分混合溶液に含まれる各物質の濃度を測定した。ミラー付きセルを用いれば、光路長が固定された通常の透過セルであっても反射回数に応じて異なる光路長設定でき、多成分混合溶液のスペクトル取得と濃度測定が可能となる。これは図２〜５に示した実施形態にも使用可能である。
【０１０４】
具体的に５種類の光路長が必要な多成分液を従来装置とフローセルを用いた本発明の濃度測定装置で測定したところ、前者では１時間かかった測定が、後者では１０分で完了した。また後者であれば、インライン装置として測定用配管から測定セルに多成分混合溶液を導くことで工業製品の生産プロセスへも適用でき、測定された各種濃度値をプロセスの制御に用いることも可能である。
【０１０５】
さらに、以下のような溶液濃度測定装置の構成とすることで、様々な光路長を通過した複数の赤外線からの赤外吸収スペクトルを一度に得ることができる。
【０１０６】
赤外線源と、赤外線検出手段と、前記赤外線源と前記赤外線検出手段との間に配置されて前記溶液を収容し、赤外線源から照射された赤外線が溶液を通過する光路を複数有し、これら各光路の光路長が異なっている測定セルと、前記測定セルを通過した赤外線から赤外吸収スペクトルを作成するスペクトル作成手段と、作成された赤外吸収スペクトルのスペクトル情報を用いて２次スペクトルを作成する２次スペクトル作成手段と、作成された２次スペクトルに含まれる特性吸収帯の吸収ピークの値と検量線とを対比して前記各既知の物質の濃度を定量する手段とを備えた溶液濃度測定装置であって、
前記２次スペクトル作成手段は、
ｄ１．  前記既知の物質に由来する特性吸収帯のうち、スペクトル情報を得たい２つ以上の特性吸収帯が設定されており、
ｄ２．  前記ｃ１で設定されている特性吸収帯のうちの１つの特性吸収帯に対応する光路長を選択し、
前記光路長は、この光路長が対応する特性吸収帯に由来する既知の物質の濃度が特定の濃度値であるときに、この光路長が対応する特性吸収帯での赤外線の吸収ピークの吸光度が０．２〜０．８となる長さであり、
前記特定の濃度値は、前記光路長が対応する特性吸収帯が由来する既知の物質に対して設定された想定され得る濃度変動範囲の代表値または制御目標値であり、
ｄ３．  前記測定セルの前記ｄ２で選択された光路長の光路、または前記測定セルの前記ｄ２で選択された光路長に最も近い光路で測定された赤外吸収スペクトルを前記スペクトル作成手段から得て、前記ｄ２で選択された光路長が対応する特性吸収帯のスペクトル情報を得て、
ｄ４．  前記ｄ２とｄ３の操作を前記ｄ１で設定されている全ての特性吸収帯に対応する光路長について行い、得られたスペクトル情報を合成して２次スペクトルを作成する。
【０１０７】
この溶液濃度測定装置では、図４、図５または図６に示した複数の異なる光路長の光路を備えた測定セルを用いて、これら光路のいずれかを通過した複数の赤外線を同時に検出できる複数の赤外線検出手段を備えることで、測定セルの各光路長に対応した赤外吸収スペクトルを同時に作成できる。測定セルを通過する複数の赤外線は、複数の赤外線源からの赤外線を照射したり、1つの赤外線源から照射された赤外線を分光することで実現できる。
【０１０８】
このように本発明の多成分混合溶液の濃度測定装置を用いることで、赤外吸収スペクトルが複雑で吸収ピークごとに最適な光路長が大きく異なるような多成分混合溶液においても、各吸収ピークごとに異なる光路長を簡便に設定でき、各物質の吸収ピークに最適な条件で高精度かつ簡便な赤外吸収スペクトルの取得と濃度測定が可能となる。
【産業上の利用可能性】
【０１０９】
本発明によれば、多成分混合溶液に含まれる各成分物質の濃度を精度よく測定することができる。化学反応プロセスにおける溶液中の反応物質の濃度を監視することによって、化学反応プロセスの管理、さらには、化学反応プロセスの制御に利用することができる。
【符号の説明】
【０１１０】
１１  赤外光源
１２  分光器
１３  測定セル
１４  赤外線検出器
１５  分析装置
１６  被測定液
１７  入射光
１８  透過光
２１  フローセル
２２  注水口
２３  排水口
２４  液面
３１  ステップセル
４１  個別セル
４２  第１のセル
４３  第２のセル
４４  第３のセル
４５  第４のセル
５１  スロープセル
６１  ミラー付セル
６２  第１のミラー
６３  第２のミラー
Ｌ  光路長
Ｈ  液面の高さ
Ｗ  セル幅
θ  反射角
【図１】
2015184018.tif 000008
【図２】
2015184018.tif 000009
【図３】
2015184018.tif 000010
【図４】
2015184018.tif 000011
【図５】
2015184018.tif 000012
【図６】
2015184018.tif 000013
【図７】
2015184018.tif 000014
【図８】
2015184018.tif 000015
【図９】
2015184018.tif 000016
【図１０】
2015184018.tif 000017
【図１１】
2015184018.tif 000018
【図１２】
2015184018.tif 000019
【図１３】
2015184018.tif 000020
【図１４】
2015184018.tif 000021
【図１５】
2015184018.tif 000022